(57)【要約】【課題】液滴吐出ヘッドのノズル面を払拭する払拭部材が巻き掛けられるロールが取り外し不能に構成されている場合又は個別にしか取り外せないように構成されている場合に比べて、払拭部材の交換時の作業性を向上できる払拭装置を得る。【解決手段】液滴吐出ヘッドのノズル面を払拭する払拭部材６０と、払拭部材６０に下方から接触し、ノズル面に払拭部材６０を接触させる第１ロール５０と、第１ロール５０における払拭部材６０の繰出方向上流側及び下流側に配置され、払拭部材６０に下方から接触する一対の第２ロール５６、５８と、第１ロール５０と一対の第２ロール５６、５８との間に配置され、払拭部材６０に上方から接触する一対の第３ロール５２、５４と、一対の第３ロール５２、５４を払拭部材６０から同時に退避させる退避手段７０と、を備えた払拭装置４０とする。【選択図】図３
2019055528.tif 000002
【特許請求の範囲】
【請求項１】
液滴吐出ヘッドのノズル面を払拭する払拭部材と、
前記払拭部材に下方から接触し、前記ノズル面に前記払拭部材を接触させる第１ロールと、
前記第１ロールにおける前記払拭部材の繰出方向上流側及び下流側に配置され、前記払拭部材に下方から接触する一対の第２ロールと、
前記第１ロールと前記一対の第２ロールとの間に配置され、前記払拭部材に上方から接触する一対の第３ロールと、
前記一対の第３ロールを前記払拭部材から同時に退避させる退避手段と、
を備えた払拭装置。
【請求項２】
前記払拭部材を繰り出す繰出ロールと前記払拭部材を巻き取る巻取ロールとが収容された筐体を備え、
前記退避手段は、
前記一対の第３ロールを支持し、前記筐体に対して脱着される脱着部材で構成されている請求項１に記載の払拭装置。
【請求項３】
前記脱着部材は、前記一対の第３ロールの位置を変更可能なように、該第３ロールを取付可能な複数の取付部を有する請求項２に記載の払拭装置。
【請求項４】
前記筐体は、前記脱着部材が装着されたことを検知する検知手段を有する請求項２又は請求項３に記載の払拭装置。
【請求項５】
前記脱着部材は、前記筐体の上側又は前記筐体における前記繰出ロールの軸方向一端部側に設けられた蓋部材である請求項２〜請求項４の何れか１項に記載の払拭装置。
【請求項６】
前記払拭部材を繰り出す繰出ロールと前記払拭部材を巻き取る巻取ロールとが収容された筐体を備え、
前記退避手段は、
前記一対の第３ロールを支持し、前記筐体に回転可能に支持された回転部材で構成されている請求項１に記載の払拭装置。
【請求項７】
前記筐体又は前記回転部材は、前記一対の第３ロールを上方位置にて保持する保持手段を有する請求項６に記載の払拭装置。
【請求項８】
前記筐体は、前記回転部材の回転により前記一対の第３ロールが前記払拭部材に接触したことを検知する検知手段を有する請求項６又は請求項７に記載の払拭装置。
【請求項９】
前記払拭部材を繰り出す繰出ロールと前記払拭部材を巻き取る巻取ロールとが収容された筐体を備え、
前記退避手段は、
前記一対の第３ロールの軸方向一端部側を連結する連結部材と、
前記筐体に設けられ、前記連結部材が上下方向に移動可能となるように、前記一対の第３ロールの軸方向他端部側を支持する支持部材と、
を有する請求項１に記載の払拭装置。
【請求項１０】
前記筐体は、前記連結部材の移動により前記一対の第３ロールが前記払拭部材に接触したことを検知する検知手段を有する請求項９に記載の払拭装置。
【請求項１１】
請求項１〜請求項１０の何れか１項に記載の払拭装置と、
前記払拭装置に対して相対的に移動する液滴吐出ヘッドと、
を備えた液滴吐出装置。
【発明の詳細な説明】
【技術分野】
【０００１】
本発明は、払拭装置及び液滴吐出装置に関する。
【背景技術】
【０００２】
液滴吐出ヘッドのノズル面を払拭するウェブと、そのウェブを走行させる駆動手段と、そのウェブをノズル面に押し当てる押し当て部材と、その押し当て部材を支持する支持部材と、を備えたヘッドクリーニング装置は、従来に提案されている（例えば、特許文献１参照）。
【先行技術文献】
【特許文献】
【０００３】
【特許文献１】特開２０１４−４００３６号公報
【発明の概要】
【発明が解決しようとする課題】
【０００４】
本発明は、液滴吐出ヘッドのノズル面を払拭する払拭部材が巻き掛けられるロールが取り外し不能に構成されている場合又は個別にしか取り外せないように構成されている場合に比べて、払拭部材の交換時の作業性を向上できる払拭装置及び液滴吐出装置を得ることを目的とする。
【課題を解決するための手段】
【０００５】
上記の目的を達成するために、本発明に係る請求項１に記載の払拭装置は、液滴吐出ヘッドのノズル面を払拭する払拭部材と、前記払拭部材に下方から接触し、前記ノズル面に前記払拭部材を接触させる第１ロールと、前記第１ロールにおける前記払拭部材の繰出方向上流側及び下流側に配置され、前記払拭部材に下方から接触する一対の第２ロールと、前記第１ロールと前記一対の第２ロールとの間に配置され、前記払拭部材に上方から接触する一対の第３ロールと、前記一対の第３ロールを前記払拭部材から同時に退避させる退避手段と、を備えている。
【０００６】
また、請求項２に記載の払拭装置は、請求項１に記載の払拭装置であって、前記払拭部材を繰り出す繰出ロールと前記払拭部材を巻き取る巻取ロールとが収容された筐体を備え、前記退避手段は、前記一対の第３ロールを支持し、前記筐体に対して脱着される脱着部材で構成されている。
【０００７】
また、請求項３に記載の払拭装置は、請求項２に記載の払拭装置であって、前記脱着部材は、前記一対の第３ロールの位置を変更可能なように、該第３ロールを取付可能な複数の取付部を有している。
【０００８】
また、請求項４に記載の払拭装置は、請求項２又は請求項３に記載の払拭装置であって、前記筐体は、前記脱着部材が装着されたことを検知する検知手段を有している。
【０００９】
また、請求項５に記載の払拭装置は、請求項２〜請求項４の何れか１項に記載の払拭装置であって、前記脱着部材は、前記筐体の上側又は前記筐体における前記繰出ロールの軸方向一端部側に設けられた蓋部材である。
【００１０】
また、請求項６に記載の払拭装置は、請求項１に記載の払拭装置であって、前記払拭部材を繰り出す繰出ロールと前記払拭部材を巻き取る巻取ロールとが収容された筐体を備え、前記退避手段は、前記一対の第３ロールを支持し、前記筐体に回転可能に支持された回転部材で構成されている。
【００１１】
また、請求項７に記載の払拭装置は、請求項６に記載の払拭装置であって、前記筐体又は前記回転部材は、前記一対の第３ロールを上方位置にて保持する保持手段を有している。
【００１２】
また、請求項８に記載の払拭装置は、請求項６又は請求項７に記載の払拭装置であって、前記筐体は、前記回転部材の回転により前記一対の第３ロールが前記払拭部材に接触したことを検知する検知手段を有している。
【００１３】
また、請求項９に記載の払拭装置は、請求項１に記載の払拭装置であって、前記払拭部材を繰り出す繰出ロールと前記払拭部材を巻き取る巻取ロールとが収容された筐体を備え、前記退避手段は、前記一対の第３ロールの軸方向一端部側を連結する連結部材と、前記筐体に設けられ、前記連結部材が上下方向に移動可能となるように、前記一対の第３ロールの軸方向他端部側を支持する支持部材と、を有している。
【００１４】
また、請求項１０に記載の払拭装置は、請求項９に記載の払拭装置であって、前記筐体は、前記連結部材の移動により前記一対の第３ロールが前記払拭部材に接触したことを検知する検知手段を有している。
【００１５】
また、本発明に係る請求項１１に記載の液滴吐出装置は、請求項１〜請求項１０の何れか１項に記載の払拭装置と、前記払拭装置に対して相対的に移動する液滴吐出ヘッドと、を備えている。
【発明の効果】
【００１６】
請求項１に係る発明によれば、液滴吐出ヘッドのノズル面を払拭する払拭部材が巻き掛けられるロールが取り外し不能に構成されている場合又は個別にしか取り外せないように構成されている場合に比べて、払拭部材の交換時の作業性を向上させることができる。
【００１７】
請求項２に係る発明によれば、一対の第３ロールが、筐体から取り外せない部材に設けられている場合に比べて、第３ロールの清掃又は交換時の作業性を向上させることができる。
【００１８】
請求項３に係る発明によれば、払拭部材の経路の変更に対応することができる。
【００１９】
請求項４及び請求項８及び請求項１０に係る発明によれば、一対の第３ロールの付け忘れを防止することができる。
【００２０】
請求項５に係る発明によれば、一対の第３ロールを、それ専用の部材に設ける場合に比べて、部品点数を低減させることができる。
【００２１】
請求項６に係る発明によれば、一対の第３ロールが、筐体から外れてしまう部材に設けられている場合に比べて、第３ロールの紛失を抑制することができる。
【００２２】
請求項７に係る発明によれば、一対の第３ロールが上方位置にて保持されない場合に比べて、第３ロールの清掃又は交換時の作業性を向上させることができる。
【００２３】
請求項９に係る発明によれば、一対の第３ロールの軸方向他端部側が筐体に支持され、一対の第３ロールの軸方向一端部側を連結する連結部材が上下方向に移動不能とされている場合に比べて、第３ロールの清掃又は交換時の作業性を向上させることができる。
【００２４】
請求項１１に係る発明によれば、請求項１〜請求項１０の何れか１項に記載の払拭装置を備えていない場合に比べて、画像品質の低下を抑制することができる。
【図面の簡単な説明】
【００２５】
【図１】本実施形態に係るインクジェット記録装置の構成を示す側面図である。
【図２】本実施形態に係る払拭装置を示す斜視図である。
【図３】第１実施形態に係る払拭装置の前蓋を開放させた状態を示す斜視図である。
【図４】第１実施形態に係る払拭装置の前蓋を開放させた状態を示す側面図である。
【図５】第１実施形態に係る払拭装置の前蓋に取り付けられたテンションロールを示す側面図である。
【図６】第２実施形態に係る払拭装置の上蓋を開放させた状態を示す斜視図である。
【図７】第２実施形態に係る払拭装置の上蓋を開放させた状態を示す側面図である。
【図８】第３実施形態に係る払拭装置のアーム部材を持ち上げた状態を示す斜視図である。
【図９】第３実施形態に係る払拭装置のアーム部材を持ち上げた状態を示す側面図である。
【図１０】第４実施形態に係る払拭装置の連結部材を持ち上げた状態を示す斜視図である。
【図１１】第４実施形態に係る払拭装置の連結部材を持ち上げた状態を示す側面図である。
【発明を実施するための形態】
【００２６】
以下、本発明の実施の形態について、図面を基に詳細に説明する。なお、説明の便宜上、各図に適宜示される矢印ＵＰを液滴吐出装置の一例としてのインクジェット記録装置１０及び払拭装置４０の上方向とし、矢印ＬＨを払拭装置４０の左方向とし、矢印ＦＲを払拭装置４０の前方向とするが、各方向に特に限定されるものではない。更に、以下において、記録媒体の一例としての記録用紙Ｐの搬送方向を単に「搬送方向」と言い、その搬送方向上流側及び搬送方向下流側を、それぞれ単に「上流側」、「下流側」と言う場合がある。
【００２７】
＜インクジェット記録装置＞
図１に示されるように、インクジェット記録装置１０は、記録用紙Ｐが収容される給紙部１２と、給紙部１２から繰り出された記録用紙Ｐに画像を記録する画像記録部１４と、画像記録部１４へ記録用紙Ｐを搬送する搬送手段１６と、画像記録部１４によって画像が記録された記録用紙Ｐを収容する排紙部１８と、を有している。
【００２８】
画像記録部１４は、液滴吐出ヘッドの一例としてのインクジェット記録ヘッド２０を有している。インクジェット記録ヘッド２０は、複数のノズル（図示省略）が形成されたノズル面２１を有しており、そのノズル面２１は、インクジェット記録装置１０での画像記録が想定される記録用紙Ｐの最大幅と同程度か、又はそれ以上の記録可能領域を有している。
【００２９】
また、インクジェット記録ヘッド２０は、記録用紙Ｐの搬送方向に対して、その上流側からイエロー（Ｙ）、マゼンタ（Ｍ）、シアン（Ｃ）、ブラック（Ｋ）の順に並設されており、サーマル方式や圧電方式等の公知の手段によって、インク滴（液滴）が吐出されるように構成されている。
【００３０】
なお、インクとしては、水性インク、油性インク、溶剤系インク等の各種インクが使用可能である。また、インクジェット記録装置１０には、各インクジェット記録ヘッド２０Ｙ、２０Ｍ、２０Ｃ、２０Ｋにインクを供給するインクタンク２２Ｙ、２２Ｍ、２２Ｃ、２２Ｋが配設されている。
【００３１】
また、インクジェット記録ヘッド２０は、ラック・ピニオンやスライドガイド等の公知の移動機構により、その長手方向（記録用紙Ｐの幅方向）に移動可能に構成されている。より具体的には、インクジェット記録ヘッド２０は、画像記録部１４（搬送手段１６上）から退避可能になっており、画像記録部１４の隣に配置されたメンテナンス部（図示省略）へ移動可能に構成されている。
【００３２】
一方、給紙部１２に収容されている複数枚の記録用紙Ｐは、ピックアップローラー２４によって１枚ずつ取り出されるように構成されており、搬送ローラー対２５によって画像記録部１４へ搬送されるように構成されている。
【００３３】
搬送手段１６は、記録用紙Ｐの印刷面をインクジェット記録ヘッド２０のノズル面２１に対して予め決められた間隔（例えば１ｍｍ程度）で対面させるための搬送ベルト３０を有している。搬送ベルト３０は、下流側に配置された駆動ローラー２６と、上流側に配置された従動ローラー２８とに張架されて、図示の矢印Ａ方向に循環駆動（回転）するように構成されている。
【００３４】
また、従動ローラー２８の上部には、搬送ベルト３０の表面側から、その搬送ベルト３０に従動する帯電ローラー３２が配設されている。この帯電ローラー３２によって搬送ベルト３０が帯電される（電荷が与えられる）ことにより、記録用紙Ｐが搬送ベルト３０に静電吸着されて搬送される構成になっている。
【００３５】
なお、搬送ベルト３０は、記録用紙Ｐを静電吸着して保持する構成とされるものに限定されるものではなく、記録用紙Ｐとの摩擦や記録用紙Ｐを吸引又は粘着するなどの非静電的吸着手段によって保持する構成とされていてもよい。また、搬送ベルト３０の下流側には、複数の搬送ローラー対３５と複数の搬送ローラー対３８とが配設されている。
【００３６】
また、搬送ベルト３０の下方には、反転部３４が設けられている。したがって、両面印刷するときには、搬送ローラー対３５によって搬送された記録用紙Ｐが、反転部３４の複数の搬送ローラー対３６によって更に搬送され、再度インクジェット記録ヘッド２０へ送られるようになっている。そして、画像が記録された記録用紙Ｐは、搬送ベルト３０から剥離され、搬送ローラー対３５及び搬送ローラー対３８によって搬送されて、排紙部１８へ排出される構成になっている。
【００３７】
なお、このインクジェット記録装置１０には、画像信号に応じてインク滴の吐出タイミングと使用するノズルを決定し、そのノズルに駆動信号を印加するインクジェット記録ヘッド２０のヘッド制御部（図示省略）と、インクジェット記録装置１０全体の動作を制御する制御部の一例としてのシステム制御部２３と、が備えられている。
【００３８】
＜払拭装置＞
以上のような構成とされたインクジェット記録装置１０において、次にインクジェット記録ヘッド２０のノズル面２１を清掃する払拭装置４０について説明する。
【００３９】
図２に示されるように、払拭装置４０は、ポリエステル樹脂やナイロン樹脂等の織布で構成されたウェブ状の払拭部材６０と、払拭部材６０の一端部側が巻き付けられた繰出ロール４２と、払拭部材６０の他端部側が巻き付けられるとともに、繰出モーター（図示省略）からの回転駆動力によって回転駆動される巻取ロール４４と、払拭部材６０をノズル面２１に接触させるために、その払拭部材６０を下方から支持する（払拭部材６０に下方から接触する）第１ロールの一例としての支持ロール５０と、を含んで構成されている。
【００４０】
つまり、払拭装置４０は、繰出モーターが回転駆動することによって巻取ロール４４の回転軸４４Ａが繰出方向（図示の矢印方向）へ回転駆動されることにより、払拭部材６０が繰出ロール４２から支持ロール５０を経由して巻取ロール４４へ向かって一定の繰出速度（巻取速度）で移動する（繰り出される）ようになっている。なお、繰出ロール４２の回転軸４２Ａは、フリー回転可能になっている。
【００４１】
また、払拭装置４０は、支持ロール５０よりも払拭部材６０の繰出方向上流側及び下流側に、その払拭部材６０が上方から巻き掛けられる（払拭部材６０に下方から接触する）一対の第２ロールの一例としてのガイドロール５６、５８を備えている。そして、払拭装置４０は、支持ロール５０と一対のガイドロール５６、５８との間に、払拭部材６０が下方から巻き掛けられる（払拭部材６０に上方から接触する）一対の第３ロールの一例としてのテンションロール５２、５４を備えている。
【００４２】
更に、払拭装置４０は、ガイドロール５８よりも払拭部材６０の繰出方向下流側に、払拭部材６０が下方から巻き掛けられる（払拭部材６０に上方から接触する）ガイドロール４６を備えている。なお、繰出ロール４２、巻取ロール４４、ガイドロール４６は、それぞれ筐体の一例としての装置本体６２内に収容され、その装置本体６２に回転可能に支持されている。
【００４３】
また、テンションロール５２、５４の支持構造については後述するが、ガイドロール５６、５８と支持ロール５０は、図３に示されるように、装置本体６２の左右方向略中央部の上方に設けられた正面視略「Ｗ」字状の支軸部材４８に回転可能に支持されている。そして、ガイドロール４６、５６、５８、テンションロール５２、５４及び支持ロール５０は、それぞれ払拭部材６０の移動に伴って回転するように構成されている。
【００４４】
また、図３に示されるように、支持ロール５０と繰出方向上流側のテンションロール５２との間に張架されている払拭部材６０に対向して、洗浄液を噴射する洗浄液付与ノズル５１が配置されている。この洗浄液付与ノズル５１から洗浄液が噴射されることにより、支持ロール５０で支持される払拭部材６０の繰出方向上流側が洗浄液で湿潤される構成になっている。なお、洗浄液付与ノズル５１は、支軸部材４８に支持されている。
【００４５】
また、図示は省略するが、支持ロール５０の支持軸の軸方向両端部には、支持ロール５０を上方（ノズル面２１）へ向かって付勢するための付勢手段の一例としての一対のコイルバネが設けられている。すなわち、各コイルバネの上端部は、支持ロール５０の支持軸の軸方向両端部にそれぞれ取り付けられており、各コイルバネの下端部は、装置本体６２の一部である支軸部材４８に取り付けられている。
【００４６】
また、払拭装置４０は、メンテナンス部において、昇降可能に構成されるとともに、インクジェット記録ヘッド２０の長手方向に移動不能に構成されている。したがって、インクジェット記録ヘッド２０のノズル面２１を払拭する際には、そのノズル面２１に払拭部材６０が接触するように払拭装置４０が上昇し、その状態でインクジェット記録ヘッド２０が払拭装置４０の払拭部材６０の繰出方向とは反対方向に移動することにより、そのノズル面２１が払拭部材６０によって払拭される。
【００４７】
なお、インクジェット記録ヘッド２０をメンテナンス部に移動させたら、そのインクジェット記録ヘッド２０を移動させず、払拭装置４０を、上昇させ、更にラック・ピニオンやスライドガイド等の公知の移動機構により、インクジェット記録ヘッド２０の長手方向（記録用紙Ｐの幅方向）に移動させて、そのノズル面２１を払拭するようにしてもよい。
【００４８】
＜第１実施形態＞
以上のような構成とされた払拭装置４０において、次に、一対のテンションロール５２、５４を払拭部材６０から同時に退避させる退避手段７０の第１実施形態について説明する。なお、ここで言う「同時に退避させる」とは、一対のテンションロール５２、５４が、時間差を殆ど有することなく、１つの動作で共に退避することを指す。
【００４９】
図２〜図４に示されるように、装置本体６２は、底壁６４と後壁６６と左右の側壁６８とを有している。そして、図３、図４に示されるように、装置本体６２の前側は、退避手段７０を構成する蓋部材の一例としての開閉可能な前蓋７２とされている。前蓋７２は、矩形平板状の前板７２Ａと、その前板７２Ａの左右両側に一体に形成された矩形平板状の側板７２Ｂと、を有している。
【００５０】
側板７２Ｂの下端部には、側面視略逆「Ｕ」字状の切欠部７３が形成されている。そして、側壁６８の下端部には、その切欠部７３が上方から嵌合するボルト６９（軸部）が設けられている。したがって、前蓋７２は、その切欠部７３がボルト６９の軸部に嵌合された状態で、そのボルト６９を支点に上部側が前後方向へ開閉する構成になっている。
【００５１】
そして、前蓋７２に設けられたロック機構（図示省略）により、その前蓋７２の閉状態が維持されるようになっている。なお、前蓋７２は、ボルト６９の軸部から切欠部７３を外すことにより、装置本体６２に対して取り外し可能になっている。したがって、この前蓋７２は、装置本体６２に対して脱着される脱着部材の一例でもある。
【００５２】
また、装置本体６２には、前蓋７２が閉められたこと（閉じた状態に装着されたこと）を検知する検知手段８０が設けられている。この検知手段８０は、巻取ロール４４を回転駆動させる繰出モーターの駆動回路と電気的に接続されており、払拭装置４０は、検知手段８０で前蓋７２が閉められたことを検知しないと、繰出モーターが回転駆動しないように構成されている。
【００５３】
なお、検知手段８０としては、装置本体６２（例えば側壁６８）に設けられた被接触部材に、前蓋７２に設けられた接触部材が接触することで、前蓋７２の閉状態を検知する接触型のセンサーであってもよいし、装置本体６２（例えば側壁６８）に設けられた発光素子から出射される光を、前蓋７２に設けられた受光素子が受光することで、前蓋７２の閉状態を検知する非接触型のセンサー等であってもよい。
【００５４】
一対のテンションロール５２、５４は、前板７２Ａの上端部における左右方向中央部に左右に並んで取り付けられている。詳細に説明すると、図５に示されるように、テンションロール５２、５４は、軸部５２Ａ、５４Ａと軸部５２Ａ、５４Ａに対して回転自在に構成されたロール部５２Ｂ、５４Ｂとで構成されており、各軸部５２Ａ、５４Ａの軸方向一端部が取付ネジ８２によって前板７２Ａの上端部に取り付けられている。
【００５５】
なお、図３に示されるように、前板７２Ａには、その取付ネジ８２の軸部を挿入可能な取付部の一例としての貫通孔７２Ｃが複数形成されており、一対のテンションロール５２、５４の取付箇所が変更可能になっている。また、一対のテンションロール５２、５４は、各軸部５２Ａ、５４Ａの軸方向一端部だけが前板７２Ａに取り付けられるようになっており、その前板７２Ａで片持ち支持される構成になっている。
【００５６】
＜第１実施形態の作用＞
以上のような構成とされた第１実施形態に係る退避手段７０において、次にその作用について説明する。
【００５７】
払拭部材６０を交換する際には、まずロック機構を外し、前蓋７２（前板７２Ａ）の上部を、そのボルト６９を支点にして前方側へ引き出す。すると、一対のテンションロール５２、５４は、前蓋７２（前板７２Ａ）の上端部に取り付けられているため、その前蓋７２（前板７２Ａ）の上部の前方側への１つの引き出し動作に伴って前方側へ同時に引き出される（退避される）（図３、図４参照）。
【００５８】
これにより、払拭部材６０のテンションが低減されるため、払拭部材６０の交換時の作業性が向上される。具体的には、一対のテンションロール５２、５４が、装置本体６２から取り外し不能とされている払拭装置（図示省略）の場合や装置本体６２から個別にしか取り外せない払拭装置（図示省略）の場合に比べて、払拭部材６０を交換する作業時間が低減される。
【００５９】
また、一対のテンションロール５２、５４の清掃又は交換を行うときには、前蓋７２における側板７２Ｂの下端部に形成されている切欠部７３をボルト６９の軸部から外す。つまり、前蓋７２を装置本体６２から取り外す。そして、その前蓋７２における前板７２Ａからテンションロール５２、５４を取り外す。ここで、各テンションロール５２、５４は、図５に示されるように、前板７２Ａにネジ止めされているだけであるため、その前板７２Ａから容易に取り外せる。
【００６０】
また、このようにテンションロール５２、５４が、装置本体６２に脱着可能な前蓋７２に設けられていると、その前蓋７２を作業し易い場所に持って行くことができるため、テンションロール５２、５４の清掃又は交換が容易に行える。よって、一対のテンションロール５２、５４が、装置本体６２から取り外せない部材に設けられている場合に比べて、テンションロール５２、５４の清掃又は交換時の作業性が向上される。
【００６１】
なお、実際には、払拭部材６０の繰出方向下流側のテンションロール５４が、払拭部材６０で拭き取ったインク等で汚れることが多い。そのため、主にテンションロール５４に対して清掃又は交換を行うことになる。また、テンションロール５２、５４は、前蓋７２に設けられているため、前蓋７２とは別のテンションロール５２、５４専用の脱着部材（図示省略）に設けられる場合に比べて、部品点数の低減が図れる。
【００６２】
こうして、テンションロール５２、５４の清掃又は交換が終了したら、前蓋７２における側板７２Ｂの下端部に形成されている切欠部７３をボルト６９の軸部に嵌合させる。そして、そのボルト６９を支点にして前蓋７２（前板７２Ａ）の上部を後方側へ押し戻し、装置本体６２の前方側を前蓋７２で閉じるとともに、その前蓋７２が開かないようにロック機構によりロックする。この動作により、テンションロール５２、５４が払拭部材６０に上方から同時に接触し、払拭部材６０にテンションが掛かる。
【００６３】
本実施形態では、上記の通り、テンションロール５２、５４の清掃又は交換が容易に行えるため、払拭部材６０に対するテンション制御の精度が維持される。なお、装置本体６２には、前蓋７２が閉められたことを検知する検知手段８０が設けられているため、テンションロール５２、５４の付け忘れが防止される。換言すれば、テンションロール５２、５４が配置されていない状態で払拭部材６０が繰り出されることはない。
【００６４】
また、上記の通り、テンションロール５２、５４は、容易に交換可能であるため、その位置の変更も容易に行える。すなわち、前板７２Ａには、テンションロール５２、５４を取り付けるための貫通孔７２Ｃが複数形成されているため、払拭部材６０の経路が変更された場合でも対応可能となる。
【００６５】
また、テンションロール５２、５４の位置の変更だけではなく、インクやインクジェット記録ヘッド２０の仕様の変更に伴って払拭部材６０の材質が変更されたときなど、テンションロール５２、５４の材質を変更しなければならないときでも、その払拭部材６０に適応したテンションロール５２、５４に容易に交換可能となる。
【００６６】
＜第２実施形態＞
次に、退避手段７０の第２実施形態について説明する。なお、上記第１実施形態と同等の部位には、同じ符号を付して詳細な説明は適宜省略する。また、図６、図７では洗浄液付与ノズル５１の図示を省略する。
【００６７】
図６、図７に示されるように、装置本体６２の上側には、退避手段７０を構成する蓋部材の一例としての上蓋７４が設けられている。上蓋７４は、矩形平板状の上板７４Ａと、その上板７４Ａの前後両側に一体に形成された矩形平板状の前板７４Ｂ及び後板７４Ｃと、を有しており、側面視で略逆「Ｕ」字状に形成されている。そして、この上蓋７４は、装置本体６２の上部に脱着可能に構成されている。したがって、この上蓋７４は、脱着部材の一例でもある。
【００６８】
また、一対のテンションロール５２、５４が、その上蓋７４に設けられている。詳細に説明すると、各テンションロール５２、５４は、その軸部５２Ａ、５４Ａ（図５参照）の軸方向一端部が前板７４Ｂにネジ止めされ、軸方向他端部が後板７４Ｃにネジ止めされている。これにより、一対のテンションロール５２、５４が、前板７４Ｂと後板７４Ｃとによって回転可能に支持される構成になっている。
【００６９】
また、平面視で、上板７４Ａの一対のテンションロール５２、５４の間となる部分、即ち装置本体６２に上蓋７４を被せたときに、支持ロール５０に巻き掛けられて支持された払拭部材６０と上下方向で対向する部分には、矩形状の開口部７５が形成されている。この開口部７５により、装置本体６２に上蓋７４を被せたときに、支持ロール５０に巻き掛けられて支持された払拭部材６０が上方（ノズル面２１）へ向けて突出可能となる構成になっている。
【００７０】
また、装置本体６２（例えば後壁６６）には、上蓋７４が被せられたこと（閉じた状態に装着されたこと）を検知する検知手段８０が設けられている。この検知手段８０は、上記と同様であり、払拭装置４０は、検知手段８０で上蓋７４が閉められたことを検知しないと、繰出モーターが回転駆動しないように構成されている。
【００７１】
なお、検知手段８０としては、装置本体６２（例えば後壁６６）に設けられた被接触部材に、上蓋７４に設けられた接触部材が接触することで、上蓋７４の閉状態を検知する接触型のセンサーであってもよいし、装置本体６２（例えば後壁６６）に設けられた発光素子から出射される光を、上蓋７４に設けられた受光素子が受光することで、上蓋７４の閉状態を検知する非接触型のセンサー等であってもよい。
【００７２】
＜第２実施形態の作用＞
以上のような構成とされた第２実施形態に係る退避手段７０において、次にその作用について説明する。なお、上記第１実施形態と共通する作用については適宜省略する。
【００７３】
払拭部材６０を交換する際には、上蓋７４を装置本体６２から取り外す。なお、このとき、上蓋７４は、ガイド手段（図示省略）により、鉛直方向上側に真っ直ぐに取り外される。すると、一対のテンションロール５２、５４は、上蓋７４に取り付けられているため、その上蓋７４の上方側への１つの取り外し動作に伴って上方側へ同時に取り出される（退避される）（図６、図７参照）。
【００７４】
これにより、払拭部材６０のテンションが低減されるため、払拭部材６０の交換時の作業性が向上される。具体的には、一対のテンションロール５２、５４が、装置本体６２から取り外し不能とされている払拭装置（図示省略）の場合や装置本体６２から個別にしか取り外せない払拭装置（図示省略）の場合に比べて、払拭部材６０を交換する作業時間が低減される。
【００７５】
また、一対のテンションロール５２、５４の清掃又は交換を行うときには、上蓋７４からテンションロール５２、５４を取り外す。ここで、各テンションロール５２、５４は、前板７４Ｂと後板７４Ｃとにネジ止めされているだけであるため、その前板７４Ｂと後板７４Ｃから容易に取り外せる。
【００７６】
また、このようにテンションロール５２、５４が、装置本体６２に脱着可能な上蓋７４に設けられていると、その上蓋７４を作業し易い場所に持って行くことができるため、テンションロール５２、５４の清掃又は交換が容易に行える。よって、一対のテンションロール５２、５４が、装置本体６２から取り外せない部材に設けられている場合に比べて、テンションロール５２、５４の清掃又は交換時の作業性が向上される。
【００７７】
また、テンションロール５２、５４は、上蓋７４に設けられているため、上蓋７４とは別のテンションロール５２、５４専用の脱着部材（図示省略）に設けられる場合に比べて、部品点数の低減が図れる。
【００７８】
こうして、テンションロール５２、５４の清掃又は交換が終了したら、上蓋７４を装置本体６２に被せる。この動作により、テンションロール５２、５４が払拭部材６０に上方から同時に接触し、払拭部材６０にテンションが掛かる。本実施形態では、上記の通り、テンションロール５２、５４の清掃又は交換が容易に行えるため、払拭部材６０に対するテンション制御の精度が維持される。
【００７９】
なお、装置本体６２には、上蓋７４が被せられたことを検知する検知手段８０が設けられているため、テンションロール５２、５４の付け忘れが防止される。換言すれば、テンションロール５２、５４が配置されていない状態で払拭部材６０が繰り出されることはない。
【００８０】
＜第３実施形態＞
次に、退避手段７０の第３実施形態について説明する。なお、上記第１実施形態又は第２実施形態と同等の部位には、同じ符号を付して詳細な説明は適宜省略する。また、図８、図９では洗浄液付与ノズル５１の図示を省略する。
【００８１】
図８、図９に示されるように、装置本体６２の上部における一方（例えば右側）の角部には、退避手段７０を構成する回転部材の一例としての一対のアーム部材７６が回転可能に設けられている。
【００８２】
詳細に説明すると、一対のアーム部材７６の先端部には、払拭部材６０の繰出方向上流側となるテンションロール５２が回転可能に支持されている。すなわち、テンションロール５２の軸部５２Ａ（図５参照）における軸方向一端部が前側（一方）のアーム部材７６Ａの先端部にネジ止めされ、軸方向他端部が後側（他方）のアーム部材７６Ｂの先端部にネジ止めされている。
【００８３】
また、一対のアーム部材７６の中途部には、払拭部材６０の繰出方向下流側となるテンションロール５４が回転可能に支持されている。すなわち、テンションロール５４の軸部５４Ａ（図５参照）における軸方向一端部が前側のアーム部材７６Ａの中途部にネジ止めされ、軸方向他端部が後側のアーム部材７６Ｂの中途部にネジ止めされている。
【００８４】
また、前側のアーム部材７６Ａの基端部７６Ｃは、側壁６８の上部から前蓋７２側へ屈曲して一体に張り出した張出部６８Ａに、保持手段の一例としてのある程度の摩擦（摺動抵抗）Ｆを有して回転可能に支持されている。そして、後側のアーム部材７６Ｂの基端部７６Ｄは、後壁６６の上部に、保持手段の一例としてのある程度の摩擦（摺動抵抗）Ｆを有して回転可能に支持されている。このような保持手段（摩擦Ｆ）により、一対のテンションロール５２、５４は、その上方位置にて保持可能になっている。
【００８５】
また、張出部６８Ａと前後方向で対向する前蓋７２の角部は略矩形状に切り欠かれている。つまり、前蓋７２の角部には、正面視で略矩形状となる切欠部７７が形成されている。この切欠部７７により、前蓋７２の開閉動作がアーム部材７６によって阻害されない構成になっている。
【００８６】
また、装置本体６２には、アーム部材７６の回転により一対のテンションロール５２、５４が払拭部材６０に接触したことを検知する検知手段８０が設けられている。換言すれば、装置本体６２には、一対のテンションロール５２、５４が払拭部材６０に接触した状態のときのアーム部材７６の位置を検知する検知手段８０が設けられている。
【００８７】
この検知手段８０も、上記と同様であり、払拭装置４０は、検知手段８０で一対のテンションロール５２、５４が払拭部材６０に接触したこと（一対のテンションロール５２、５４が払拭部材６０に接触した状態のときのアーム部材７６の位置）を検知しないと、繰出モーターが回転駆動しないように構成されている。
【００８８】
なお、検知手段８０としては、装置本体６２（例えば後壁６６）に設けられた被接触部材に、アーム部材７６に設けられた接触部材が接触することで、各テンションロール５２、５４の接触状態を検知する接触型のセンサーであってもよいし、装置本体６２（例えば後壁６６）に設けられた発光素子から出射される光を、アーム部材７６に設けられた受光素子が受光することで、各テンションロール５２、５４の接触状態を検知する非接触型のセンサー等であってもよい。
【００８９】
＜第３実施形態の作用＞
以上のような構成とされた第３実施形態に係る退避手段７０において、次にその作用について説明する。なお、上記第１実施形態又は第２実施形態と共通する作用については適宜省略する。
【００９０】
払拭部材６０を交換する際には、アーム部材７６の基端部７６Ｃ、７６Ｄを支点にして、そのアーム部材７６を上方へ向かって回転させる。すると、一対のテンションロール５２、５４は、そのアーム部材７６の先端部及び中途部に取り付けられているため、その１つの回転動作に伴って上方へ向かって同時に持ち上げられる（退避される）（図８、図９参照）。
【００９１】
そして、一対のテンションロール５２、５４は、アーム部材７６の基端部７６Ｃ、７６Ｄに付与された摩擦（摺動抵抗）Ｆにより、その上方位置にて保持される。こうして、一対のテンションロール５２、５４が払拭部材６０から同時に退避することにより、払拭部材６０のテンションが低減されるため、払拭部材６０の交換時の作業性が向上される。
【００９２】
具体的には、一対のテンションロール５２、５４が、払拭部材６０に接触した状態のままで取り外し不能とされている払拭装置（図示省略）の場合や払拭部材６０に接触した状態で個別にしか取り外せない払拭装置（図示省略）の場合に比べて、払拭部材６０を交換する作業時間が低減される。
【００９３】
また、一対のテンションロール５２、５４は、装置本体６２に回転可能に支持されたアーム部材７６に設けられているため、一対のテンションロール５２、５４が、装置本体６２から外れてしまう部材に設けられている場合に比べて、各テンションロール５２、５４の紛失が抑制又は防止される。
【００９４】
また、一対のテンションロール５２、５４の清掃又は交換を行うときには、保持手段（摩擦Ｆ）により上方位置にて保持されているアーム部材７６からテンションロール５２、５４を取り外す。ここで、テンションロール５２、５４は、アーム部材７６にネジ止めされているだけであるため、そのアーム部材７６から容易に取り外せる。これにより、テンションロール５２、５４の清掃又は交換が容易に行える。すなわち、テンションロール５２、５４の清掃又は交換時の作業性が向上される。
【００９５】
こうして、テンションロール５２、５４の清掃又は交換が終了したら、アーム部材７６を下方へ向けて回転させる。これにより、テンションロール５２、５４が払拭部材６０に上方から接触し、払拭部材６０にテンションが掛かる。本実施形態では、上記の通り、テンションロール５２、５４の清掃又は交換が容易に行えるため、払拭部材６０に対するテンション制御の精度が維持される。
【００９６】
なお、装置本体６２には、一対のテンションロール５２、５４が払拭部材６０に接触したこと（一対のテンションロール５２、５４が払拭部材６０に接触した状態のときのアーム部材７６の位置）を検知する検知手段８０が設けられているため、テンションロール５２、５４の付け忘れが防止される。換言すれば、テンションロール５２、５４が配置されていない状態で払拭部材６０が繰り出されることはない。
【００９７】
＜第４実施形態＞
最後に、退避手段７０の第４実施形態について説明する。なお、上記第１実施形態〜第３実施形態と同等の部位には、同じ符号を付して詳細な説明は適宜省略する。また、図１０、図１１では洗浄液付与ノズル５１の図示を省略する。
【００９８】
図１０、図１１に示されるように、一対のテンションロール５２、５４の軸部５２Ａ、５４Ａ（図５参照）における軸方向一端部側には、軸部５２Ａと軸部５４Ａとを連結する連結部材７８が設けられている。退避手段７０を構成する連結部材７８は、左右方向が長手方向とされた矩形平板状に形成されている。そして、連結部材７８の長手方向中央部には、手指等で把持可能となるように、上方へ向けて突出する矩形平板状の突出部７８Ａが一体に形成されている。
【００９９】
なお、一対のテンションロール５２、５４を払拭部材６０に接触させてテンションを掛けるときには、連結部材７８は、支軸部材４８の前方側へ配置されるようになっている。また、支軸部材４８には、必要に応じて、各テンションロール５２、５４の軸方向一端部側の軸部５２Ａ、５４Ａを受け入れて支持する正面視略「Ｕ」字状の軸受部４８Ａ（図１０参照）を形成するようにしてもよい。
【０１００】
また、一対のテンションロール５２、５４の軸部５２Ａ、５４Ａにおける軸方向他端部は、支持部材の一例としてのボールジョイント８４（図１１参照）を介して支軸部材４８に支持されている。これにより、一対のテンションロール５２、５４の軸部５２Ａ、５４Ａにおける軸方向一端部側、即ち連結部材７８の上下方向への移動（上昇動作及び下降動作）が許容される構成になっている。
【０１０１】
また、装置本体６２の一部である支軸部材４８の前面には、連結部材７８が、支軸部材４８の前方側に配置されたこと（連結部材７８の下方への移動により、一対のテンションロール５２、５４が払拭部材６０に接触したこと）を検知する検知手段８０が設けられている。
【０１０２】
この検知手段８０も、上記と同様であり、払拭装置４０は、検知手段８０で一対のテンションロール５２、５４が払拭部材６０に接触したこと（一対のテンションロール５２、５４が払拭部材６０に接触した状態のときの連結部材７８の位置）を検知しないと、繰出モーターが回転駆動しないように構成されている。
【０１０３】
なお、検知手段８０としては、支軸部材４８に設けられた被接触部材に、連結部材７８に設けられた接触部材が接触することで、各テンションロール５２、５４の接触状態を検知する接触型のセンサーであってもよいし、支軸部材４８に設けられた発光素子から出射される光を、連結部材７８に設けられた受光素子が受光することで、各テンションロール５２、５４の接触状態を検知する非接触型のセンサー等であってもよい。
【０１０４】
＜第４実施形態の作用＞
以上のような構成とされた第４実施形態に係る退避手段７０において、次にその作用について説明する。なお、上記第１実施形態〜第３実施形態と共通する作用については適宜省略する。
【０１０５】
払拭部材６０を交換する際には、連結部材７８の突出部７８Ａを手指等で把持し、その連結部材７８を上方へ向かって持ち上げる。すると、一対のテンションロール５２、５４は、各軸部５２Ａ、５４Ａの軸方向他端部がボールジョイント８４によって支持されているため、各ボールジョイント８４を支点にして、各軸部５２Ａ、５４Ａの軸方向一端部側が上方へ向かって同時に持ち上げられる（退避される）（図１０、図１１参照）。
【０１０６】
そして、一対のテンションロール５２、５４は、各ボールジョイント８４の摺動抵抗により、その上方位置にて保持される。こうして、一対のテンションロール５２、５４が払拭部材６０から同時に退避することにより、払拭部材６０のテンションが低減されるため、払拭部材６０の交換時の作業性が向上される。
【０１０７】
具体的には、一対のテンションロール５２、５４が、払拭部材６０に接触した状態のままで取り外し不能とされている払拭装置（図示省略）の場合や払拭部材６０に接触した状態で個別にしか取り外せない払拭装置（図示省略）の場合に比べて、払拭部材６０を交換する作業時間が低減される。
【０１０８】
また、一対のテンションロール５２、５４の清掃又は交換を行うときには、各ボールジョイント８４からテンションロール５２、５４を取り外す。これにより、テンションロール５２、５４の清掃又は交換が容易に行える。すなわち、テンションロール５２、５４の軸部５２Ａ、５４Ａの軸方向他端部側がネジ止めされ、連結部材７８が上下方向に移動不能とされている場合に比べて、テンションロール５２、５４の清掃又は交換時の作業性が向上される。
【０１０９】
こうして、テンションロール５２、５４の清掃又は交換が終了したら、連結部材７８が上方位置にて保持された状態となるように、テンションロール５２、５４の各軸部５２Ａ、５４Ａの軸方向他端部を各ボールジョイント８４に取り付ける。そして、連結部材７８を下降させ、支軸部材４８の前方側に配置する。
【０１１０】
これにより、テンションロール５２、５４が払拭部材６０に上方から同時に接触し、払拭部材６０にテンションが掛かる。本実施形態では、上記の通り、テンションロール５２、５４の清掃又は交換が容易に行えるため、払拭部材６０に対するテンション制御の精度が維持される。
【０１１１】
なお、支軸部材４８には、連結部材７８が前方側に配置されたこと、即ち一対のテンションロール５２、５４が払拭部材６０に接触したことを検知する検知手段８０が設けられているため、テンションロール５２、５４の付け忘れが防止される。換言すれば、テンションロール５２、５４が配置されていない状態で払拭部材６０が繰り出されることはない。
【０１１２】
以上、本実施形態に係る払拭装置４０について、図面を基に説明したが、本実施形態に係る払拭装置４０は、図示のものに限定されるものではなく、本発明の要旨を逸脱しない範囲内において、適宜設計変更可能なものである。例えば、一対のテンションロール５２、５４は、払拭部材６０から退避するときには、同時であるが、払拭部材６０に接触するときには、同時でなくてもよい。
【０１１３】
また、第３実施形態において、アーム部材７６は、装置本体６２の角部に設けられる構成に限定されるものではなく、例えば装置本体６２の後部に設けられる構成とされていてもよい。すなわち、アーム部材７６は、前後方向を回転軸として、左右方向に回転する構成に限定されるものではなく、左右方向を回転軸として、前後方向に回転する構成とされていてもよい。
【０１１４】
更に、第３実施形態において、アーム部材７６を上方位置にて保持する保持手段は、基端部７６Ｃ、７６Ｄに付与された摩擦Ｆによるものに限定されるものではなく、例えばアーム部材７６や装置本体６２に設けられたストッパー機構（図示省略）などであってもよい。
【０１１５】
また、本実施形態に係るインクジェット記録装置１０は、複写機、プリンター複合機、ワークステーション等の出力機器として用いられる記録装置など、記録用紙Ｐ上への文字や画像の記録に用いられるものに限定されるものではなく、例えば、高分子フィルムやガラス上に着色インクを吐出して行うディスプレイ用のカラーフィルターの作製などにも適用することが可能である。
【０１１６】
すなわち、本実施形態における「記録媒体」には、記録用紙Ｐ以外に、例えばＯＨＰシートや配線パターン等が形成される基板なども含まれる。そして、本実施形態における「画像」には、一般的な画像（文字、絵、写真等）のみならず、インク滴が記録媒体上に着弾されることで得られるドットのパターン（配線パターン）なども含まれる。
【符号の説明】
【０１１７】
１０  インクジェット記録装置（液滴吐出装置の一例）
２０  インクジェット記録ヘッド（液滴吐出ヘッドの一例）
２１  ノズル面
４０  払拭装置
４２  繰出ロール
４４  巻取ロール
５０  支持ロール（第１ロールの一例）
５２  テンションロール（第３ロールの一例）
５４  テンションロール（第３ロールの一例）
５６  ガイドロール（第２ロールの一例）
５８  ガイドロール（第２ロールの一例）
６０  払拭部材
６２  装置本体（筐体の一例）
７０  退避手段
７２  前蓋（蓋部材の一例／脱着部材の一例）
７４  上蓋（蓋部材の一例／脱着部材の一例）
７６  アーム部材（回転部材の一例）
７８  連結部材
８０  検知手段
８４  ボールジョイント（支持部材の一例）
【図１】
2019055528.tif 000003
【図２】
2019055528.tif 000004
【図３】
2019055528.tif 000005
【図４】
2019055528.tif 000006
【図５】
2019055528.tif 000007
【図６】
2019055528.tif 000008
【図７】
2019055528.tif 000009
【図８】
2019055528.tif 000010
【図９】
2019055528.tif 000011
【図１０】
2019055528.tif 000012
【図１１】
2019055528.tif 000013